(57)【要約】
【課題】多量のボビン巻糸１本を複数の小ボビンミシン糸に小分けし、ロックミシン等の使用により使用済みとなった空の小ボビンの活用を図り、糸購入費を低減する。
【解決手段】底板１と、両側板２，３からなる基台の一方の端部に互いに対向して分糸しようとする供給側ボビンの両端を保持する保持部４，５を夫々設け、一方、他方の端部側に分糸した糸を巻取る小ボビンを挿脱する取付軸６を設け、かつ中間部に上端にガイド溝を有するトラバース揺動杆１１を配設して、トラバース揺動杆を側板２に添設した手動ハンドル９付き大歯車７の中心軸１０延長上に設けた偏心カムによりトラバース揺動を付与すると共に、前記大歯車７を前記小ボビン取付軸の延長上に装着した小歯車８に係合して、大歯車７をハンドル９を用いて回動することにより、小ボビンを回転し、かつトラバース揺動杆１１を揺動させて供給側糸を小ボビンに小分けする。
　【選択図】　　　図１
0003100308.tif 000002
【実用新案登録請求の範囲】
【請求項１】
　底板と、該底板の両側に立設された両側板からなる基台の一方の端部に互いに対向して分糸しようとする大容量供給側ボビンの両端を保持する保持部を夫々設け、一方、他方の端部側に分糸した糸を巻取る小ボビンを挿脱する小ボビン取付軸を設けてなると共に、中間部に上端にガイド溝を有するトラバース揺動杆を配設してなり、トラバース揺動杆は側板に添設された手動ハンドル付き大歯車の中心軸延長上に設けられてカムによりトラバース揺動が付与されるようになっていると共に、前記大歯車は前記小ボビン取付軸の延長上に装着された小歯車に係合して、大歯車をハンドルを用いて回動することにより、小ボビンを回転し、かつトラバース揺動杆を揺動させて供給側ボビンの糸を小ボビンに所要量小分けして巻き返すことを特徴とする手動式糸小分け巻取器。
【請求項２】
　供給側ボビンの両端を保持する保持部が側板に設けられた凹凸嵌入面をもつ軸受け部に嵌入受止されている請求項１記載の手動式糸小分け巻取器。
【考案の詳細な説明】
【技術分野】
【０００１】
　本考案はボビン等に巻かれている多量のミシン糸を家庭で使用するロックミシンの上糸などに適するよう小分けして巻取る小分け巻取器に関するものである。
【背景技術】
【０００２】
　近時、家庭で洋服はもとより、小物作りのためにロックミシンを使用する機会が多くなって来た。
　このロックミシンは同色の糸を複数本使用する必要があるため、通常、上糸に使用する市販の小さなボビン（糸巻き）に巻かれているミシン糸を使用するとき、通常のミシンに比べて糸を数多く買わなければならず、しかも糸を使用し切った後に小さな空ボビンが多く残り、これは廃棄する以外はなく、極めて不経済であった。
【０００３】
　そこで多量に大きなボビンに巻回されているミシン糸を１本買い、これを使用後の小さなボビンを利用して複数に小分けして使用することを思い付いた。
　多量に巻回されたミシン糸を小分けして巻取る巻取装置は従来、インターミシンあるいは飾り縫いミシンのような多糸機械用として、これら多糸機械では縫製に糸の種類，色別など多種類のミシン糸を少量用いるので必要数のミシン糸を購入すると、ミシン糸の数量が膨大になるだけでなく、無駄も多いことから１個のミシン糸を小分けして使用することが行われている。（例えば特許文献１参照）
【０００４】
　しかし、従来の小分け巻取りは上記特許文献１に記載されているように、大規模の縫製工場では高速の糸分け機が用いられていて、高価で大型であり、小規模工場では扇風機用モーターあるいは電動工具などの廃物利用による小分け巻取装置が用いられているが、家庭用としては何れも不向きである。
【０００５】
　また、上記特許文献１の小分け装置は、ミシンの下糸巻き軸にジョイント管を嵌め込み、支持軸の他端をミシンのテーブルに固着した支持板で支持し、ミシンの下糸巻き軸を回転させることによりミシンの糸立ての糸を芯管に巻き取るようにしたもので、特にミシンの上糸に使用する小ボビンの巻糸には適していない。
【０００６】
【特許文献１】実開平７−１６７７９号公報
【考案の開示】
【考案が解決しようとする課題】
【０００７】
　本考案は上述の如き実状に対処し、解決しようとする課題として、特に使用済み後の小ボビンの活用を図ると共に、家庭用ミシンの上糸に用いる小ボビンの巻糸を多量のミシン糸より手軽、かつ安価に小分けして作成することを目的とするものである。
【課題を解決するための手段】
【０００８】
　本考案は上記課題を解決するために、底板と、該底板の両側に立設された両側板ならなる基台の一方の端部両側に互いに対向して分糸しようとする大容量供給側ボビンの各端部を保持する保持部を設け、一方、他方の端部側に分糸した糸を巻取る小ボビンを挿脱する小ボビン取付軸を設け、かつ中間部に上端にガイド溝を有するトラバース揺動杆を配設すると共に、該トラバース揺動杆を側板に添設した手動ハンドル付き大歯車の中心軸延長上に設けたカムによりトラバース揺動を可能とする一方、前記大歯車を前記小ボビン取付軸の延長上に装着した小歯車に係合して、大歯車をハンドルを用いて手動で回動することにより、小ボビンを回転し、かつトラバース揺動杆を揺動させて供給側ボビンの糸を小ボビンに所要量宛巻き返し得るようになしたものである。
【０００９】
　また、大２の解決手段は、上記小分け巻取り器において、供給側ボビンの両端を保持する保持部を側板に設け、凹凸嵌入面をもつ軸受け部に嵌入受止させ、供給側の糸の軸受け部分がギザギザで軽く回転するようにしたものである。
【００１０】
　上記解決手段による作用は次の通りである。即ち、合成樹脂製ボビンなどに多量に巻かれているミシン糸を供給側ボビンとして本考案巻取器の一端側においてボビン両端を保持させ、一方、空となっているミシン巻糸の小ボビンを取付軸に挿着して、供給側ボビンより糸を引き出し、中間のトラバース揺動杆上部のガイド溝を通して小ボビンに巻き付け、粘着テープ等で止着した後、ハンドルを手動により回動すると、大歯車の回転によりその中心軸上のカム作動によってトラバース揺動杆が上下左右に揺動し、また係合している小歯車によって取付軸に挿着された小ボビンが回動して供給側ボビンより順次、小ボビンへミシン糸が巻取られ、小ボビン巻糸が形成される。
　このとき供給側のボビン巻取糸も適宜、回転させることにより糸の撚りの戻るのを防ぐようにする。
　また供給側の糸の自重と中間部のカム作動によりテンションが保たれ、小ボビンへの巻糸が硬く巻分けられる。
【考案の効果】
【００１１】
　上述したように、本考案小分け巻取器は、手動ハンドル操作により大歯車，小歯車と各歯車の中心軸に連なるカムの作用，小ボビンの回転により多量の糸を巻いた大容量供給側ボビンの糸を小分けしてミシン上糸に使用する小ボビンに巻いた巻糸に作成するものであり、従来の糸小分け巻取装置のように大掛かりでなく、頗る小型，軽量で、家庭内の作業で容易に小ボビンの巻糸を作ることができると共に、市販の小ボビン巻糸に比べてコストが安く、また使用済み後の空の小ボビンを活用することができるため、極めて経済的で、家庭でのロックミシンの使用に頗る有用である。
【考案を実施するための最良の形態】
【００１２】
　以下、本考案の実施の形態を図１〜図４にもとづいて説明する。
　これら図において１は基台の底板、２，３は基台の左右の側板で、基台はそれら底板１と左右の側板２，３によって倒立コ字状に形成されていて、その基台の一方の端部に互いに対向して分糸しようとする糸を多量に巻いた供給側ボビンＢの両端を夫々、保持する保持部４，５が設けられており、一方、他方の端部には分糸して通常のミシン上糸等に用いられる巻糸に巻き取る小ボビンｂを挿脱する止ねじ付ボビン取付軸６が側板２を貫通する軸８´を介して取り付けられている。
　そして、上記保持部４，５と小ボビン取付軸６との中間位置の両側板間にわたり支持部材１２が介設されていて、支持部材１２に支点を有して上部に多数のガイド溝を有するトラバース揺動杆１１が支着されている。
【００１３】
　しかして、上記基台の一方の側板２の外側に中心軸１０を両側板内で前記支持部材１２の間隙に指向して手動ハンドル９を有する大歯車７が設けられており、該大歯車７の中心軸１０の延長上に偏心カム１４が装着されていて、該カム１４が前記トラバース揺動杆１１のカム受け部１３に当接し、大歯車７の手動ハンドル９による回動によりトラバース揺動杆１１を上下左右に揺動させ、ガイド溝を通る糸にトラバース揺動を与えるようになっている。
【００１４】
　ここで、上記大歯車７は側板２の外側において、側板２に沿って設けられると共に、小ボビン取付軸６に連なる貫通軸８´を中心軸とする小歯車８がこれに噛合して、手動ハンドル９による大歯車７の回転を上記小歯車８に伝達し、小ボビン取付軸１６を回動可能となしている。
　なお、供給側ボビンＢ，を保持する保持部４，５は、円錐形状の芯保持部と、二重鍔よりなる取付部からなっていて、側板２，３に設けられた嵌入面をもつ軸受け部４´に嵌入して保持せしめるように構成されており、このとき嵌入面はギザギザの凹凸を形成し軽く回転するよう工夫されている。
【００１５】
　かくして上記構成において、糸を多量に巻いた供給側のボビンをボビン保持部４，５に保持させ、一方、分糸された糸を巻取る小ボビンを取付軸６に取り付けて、供給側のボビンより糸先端を引き出して中間のガイド溝を通し、小ボビンに巻き付けて止着し、準備を完了した後、手動ハンドル９を持って大歯車７を回動させると、小ボビンへの糸の巻取りに応じ、供給側の糸は引き出されて小ボビンに順次、巻き上り、市販と同様のミシン巻糸が形成される。
　なお、このミシン巻糸の小ボビンとしては、先に使用の終わった空ボビンの活用が好ましいことは前述の通りである。
　かくして手動によりミシン糸が必要に応じ家庭内において手軽に形成され、新規のミシン糸の購入の必要をなくし、経済性を向上する。
【図面の簡単な説明】
【００１６】
【図１】本考案小分け巻取器の斜視図である。
【図２】上記巻取器の正面図である。
【図３】上記巻取器の平面図である。
【図４】上記巻取器の左側面図である。
【符号の説明】
【００１７】
１：底板
２，３：側板
４，５：供給側ボビン保持部
４´，５´：軸受け部
６：小ボビン取付軸
７：大歯車
８：小歯車
８´：貫通軸
９：手動ハンドル
１０：大歯車中心軸
１１：トラバース揺動杆
１２：支持部材
１３：カム受け部
１４：偏心カム
【図１】
0003100308.tif 000003
【図２】
0003100308.tif 000004
【図３】
0003100308.tif 000005
【図４】
0003100308.tif 000006